(57)【要約】【課題】プリントすべき画像の表示の妨げとならないようメニュー表示を行うことが可能なプリントシステムを提供する。【解決手段】左右ボタンのいずれか一方が押下された場合、表示制御部１２７はメニューの表示を液晶モニタ３０から消去する（Ｓ３）。表示制御部１２７は押下された十字ボタン３４の左／右にしたがって現在表示されている画像よりも前／後に記録された画像を液晶モニタ３０に表示する（Ｓ４）。左右ボタンの押下に従ってメニューを消去し前／後に記録された画像を表示した時点から所定時間Ｔ（例えば１５秒）が経過した場合、表示制御部１２７は現在液晶モニタ３０に表示されている画像とともに再びメニューを表示する。【選択図】  図６
2006033486.tif 000002
【特許請求の範囲】
【請求項１】
画像及びプリントメニューを表示する表示部と、
プリントすべき画像の選択操作を受け付ける操作部と、
プリントすべき画像の選択操作が開始した場合、前記プリントメニューの表示を消去して選択された画像を前記表示部に表示する表示制御部と、
を備えるプリントシステム。
【請求項２】
前記表示制御部は画像の選択操作終了後に前記消去したプリントメニューを再表示する請求項１に記載のプリントシステム。
【請求項３】
前記表示制御部は画像の選択操作終了から所定時間が経過した場合に前記プリントメニューを再表示する請求項２に記載のプリントシステム。
【請求項４】
前記表示制御部は画像の選択操作終了後に前記操作部が所定の操作を受け付けた場合に前記プリントメニューを再表示する請求項２に記載のプリントシステム。
【発明の詳細な説明】
【技術分野】
【０００１】
本発明はプリントシステムに係り、特にプリンタに接続されたデジタルカメラなどでプリントすべき画像の選択と表示を行うことができるプリントシステムに関する。
【背景技術】
【０００２】
従来、カメラとプリンタを直接接続しプリントするシステムが提唱されている。例えば特許文献１によると、カーソルにより選択される画像は、常に中央に位置するようになされており、情報表示エリアには、選択画像に対して実行可能な設定機能が表示される。この状態において、設定機能の確定が行われると、カーソルにより選択されている画像がプロテクト（保護）される。また、選択画像の切り替えが行われると、設定機能の選択状態を保持しつつ、カーソルが選択している画像が切り替えられる。これにより、複数の画像に対して同一の機能を連続して実行させることができる。
【特許文献１】特開２００２−３１４８５０号公報
【発明の開示】
【発明が解決しようとする課題】
【０００３】
ところで、証明写真のプリントを行う場合、ポーズや表情を変えたり、顔の傾きを修正したり、服の乱れを直したりして何度も撮影を行い、その中から最もよい画像を選択してプリントするのが一般的である。複数撮影した画像から所望の画像を選択させるため、各画像をＬＣＤに表示し、ユーザに確認させる必要がある。しかし、上述の特許文献１のシステムでは、設定機能やカーソルの表示と画像が重ならないように撮影画像を小さくして表示しているため、画像が小さく微妙な差異が分からないという問題がある。
【０００４】
設定メニューと画像を分けて表示できない場合、画像と設定メニューなどを重ねて表示することも考えられるが、画像が設定メニューに遮られて細部が確認できないという問題がある。あるいは、大型のＬＣＤをカメラに搭載することも考えられるが、それに伴ってカメラも大型化し、コストもアップするという問題がある。あるいは、外部のテレビモニタで画像と設定メニューを表示することも考えられるが、接続機器が増えて煩雑である。本発明はこのような問題点に鑑みてなされたもので、プリントすべき画像の表示の妨げとならないようメニュー表示を行うことが可能なプリントシステムを提供することを目的とする。
【課題を解決するための手段】
【０００５】
上述の課題を解決するため、請求項１に係る発明は、画像及びプリントメニューを表示する表示部と、プリントすべき画像の選択操作を受け付ける操作部と、プリントすべき画像の選択操作が開始した場合、前記プリントメニューの表示を消去して選択された画像を前記表示部に表示する表示制御部と、を備えるプリントシステムを提供する。
【０００６】
この発明によると、プリントすべき画像の選択操作が開始した場合、プリントメニューが消去された上で選択された画像が表示される。このため、所望の画像の選択時にプリントメニュー表示が妨げとなってプリントに最適な画像の確認・選択に支障をきたすといった不都合を回避できる。
【０００７】
請求項２に係る発明は、前記表示制御部は画像の選択操作終了後に前記消去したプリントメニューを再表示する請求項１に記載のプリントシステムを提供する。
【０００８】
この発明によると、画像の選択操作終了後に消去したプリントメニューを再表示するため、画像選択後はプリントメニューの確認が可能となる。
【０００９】
請求項３に係る発明は、前記表示制御部は画像の選択操作終了から所定時間が経過した場合に前記プリントメニューを再表示する請求項２に記載のプリントシステムを提供する。
【００１０】
この発明によると、画像の選択操作終了から所定時間が経過した場合にプリントメニューを再表示する。所定時間は必要に応じて伸縮してもよい。
【００１１】
請求項４に係る発明は、前記表示制御部は画像の選択操作終了後に前記操作部が所定の操作を受け付けた場合に前記プリントメニューを再表示する請求項２に記載のプリントシステムを提供する。
【００１２】
この発明によると、画像の選択操作終了後、所定キー操作・ボタン操作などがされた場合にプリントメニューを再表示することができる。
【発明の効果】
【００１３】
この発明によると、プリントすべき画像の選択操作が開始した場合、プリントメニューが消去された上で選択された画像が表示される。このため、所望の画像の選択時にプリントメニュー表示が妨げとなってプリントに最適な画像の確認・選択に支障をきたすといった不都合を回避できる。
【発明を実施するための最良の形態】
【００１４】
以下、添付した図面を参照し本発明の好ましい実施形態を説明する。
【００１５】
［概略構成］
図１は、本発明の好ましい実施形態に係るプリントシステムの構成図である。この図に示すように、プリントシステムはデジタルカメラ１０とプリンタ２００とが通信ケーブル３００を介して直接接続されて構成されている。デジタルカメラ１０で撮影した画像は直接プリンタ２００でプリントできる。デジタルカメラ１０とプリンタ２００との接続には、ケーブル２００を利用する有線方式に限らず、Bluetoothのような無線方式を採用することも可能である。
【００１６】
図２は、デジタルカメラ１０の背面部分の概略構成図である。図２に示すように、カメラ１０のボディ背面には、液晶モニタ（ＬＣＤ）３０、十字ボタン３４、ＭＥＮＵ／ＯＫボタン３６、ＢＡＣＫボタン４０が設けられている。液晶モニタ３０は、カラー表示が可能な液晶ディスプレイで構成されている。この液晶モニタ３０は、再生モード時に撮影済み画像を表示するための画像表示パネルとして利用されるとともに、各種設定を行う際のユーザインターフェース表示パネルとして利用される。また、撮影時には必要に応じてスルー画像が表示されて、画角確認用の電子ファインダとしても利用される。十字ボタン３４は、上下左右４方向に押圧操作することができるように構成されており、各方向の指示を入力するボタンとして機能する。ＢＡＣＫボタン４０は、入力操作のキャンセルなどを指示するボタンとして機能する。ＭＥＮＵ／ＯＫボタンは、各モードの通常画面からメニュー画面への遷移を指示するボタン（ＭＥＮＵボタン）として機能するとともに、選択内容の確定、処理の実行などを指示するボタン（ＯＫボタン）として機能する。
【００１７】
図３は、デジタルカメラ１０を上面から見た概略構成図である。図３に示すように、カメラ１０のボディ上面には、電源／モードスイッチ２４が設けられている。電源／モードスイッチ２４は、デジタルカメラ１０の電源をＯＮ／ＯＦＦする電源スイッチとしての機能と、デジタルカメラ１０のモードを設定するモードスイッチとしての機能を有している。電源／モードスイッチ２４は、再生位置２４ａ、撮影位置２４ｂ及びＯＦＦ位置２４ｃを指標２４ｄの位置にスライドして合わせることで各機能の設定を行う。再生位置２４ａを指標２４ｄに合わせると再生モードに設定され、撮影位置２４ｂを指標２４ｄに合わせると撮影モードに設定される。ＯＦＦ位置２４ｃを指標２４ｄに合わせると電源がＯＦＦになる。
【００１８】
図４は、デジタルカメラ１０のブロック構成図である。デジタルカメラ１０は、撮像部１２６、制御部１１０、操作部１１２、表示制御部１２７、外部記録装置１２８、ＵＳＢインターフェース（Ｉ／Ｆ）１２９、ＵＳＢ端子１３０などで構成されている。撮像部１２６は、光学ユニットを介してＣＣＤなどの撮像素子に光を入射し、入射した光をフォトダイオードによって入射光量に応じた量の信号電荷に変換する。撮像部１２６は、制御部１１０からのタイミング信号に従って信号電荷をアナログ画像信号として出力する。画像処理部１３１は、アナログ画像信号をデジタル画像信号に変換し、所定フォーマットの圧縮処理や制御部１１０の指示に従った画像のトリミング処理など各種の画像加工処理を行う。画像加工処理の行われた１画像分の画像データはメモリ１３２に順次記憶される。
【００１９】
外部記録装置１２８は、制御部１１０からの指示に従い、メディアスロットに装填された記録メディアにデータを書き込む。外部記録装置１２８は、制御部１１０からの指示に従って記録メディアからデータの読込みも行う。ＵＳＢインターフェース１２９は、制御部１１０からの指示に従い、ＵＳＢ端子１３０を介して接続されたプリンタ２００などの各種機器との間でＵＳＢ規格に従ったデータ通信を行う。操作部１１２は、十字ボタン３４、ＭＥＮＵ／ＯＫボタン３６、ＢＡＣＫボタン４０、電源／モードスイッチ２４などで構成され、各種操作入力を電気信号に変換して制御部１１０に出力する。
【００２０】
表示制御部１２７は、制御部１１０からの指示に従い、画像データが示す画像を液晶モニタ３０に表示するための信号を生成して液晶モニタ３０に出力する。表示制御部１２７はＯＳＤ（On Screen Display）回路を含み、制御部１１０からの指示に従って液晶モニタ３０に表示する文字、図形などを示す信号を液晶モニタ３０に出力する。
【００２１】
図５は、デジタルカメラ１０に接続されるプリンタ２００のブロック構成図である。プリンタ２００は、主として電源スイッチなどを含む操作部２０２と、デジタルカメラ１０との間でＵＳＢケーブル３００を介してデータ通信するためのＵＳＢ端子２０４及びＵＳＢインターフェース２０６と、プリンタ２００の各部を統括制御するＣＰＵ２０８と、ＣＰＵ２０８を動作させるプログラムや各種定数などが書き込まれているＲＯＭ２１０と、ＣＰＵ２０８が処理を実行する際の作業領域となるＲＡＭ２１２と、デジタルカメラ１０から受信した画像データを一時記憶するストレージ２１４と、所定のカラー感熱記録紙に感熱方式で画像を印画するプリントエンジン２１６と、プリント可能なサイズやレイアウト、各サイズに対応する構図のガイド情報などが記録されているＥＥＰＲＯＭ２２０で構成されている。なお、プリンタ２００は、証明写真用のプリントサイズでのプリントが可能であるとする。
【００２２】
［処理の流れ］
次に、図６のフローチャートに基づき、デジタルカメラ１０の実行するプリント処理の流れを説明する。この処理は、図７のように液晶モニタ３０に表示されるトップメニューで「プリント」モードが十字ボタン３４の上下ボタン押下で選択された後、デジタルカメラ１０とプリンタ２００の接続が確認されたときに開始する。なお、デジタルカメラ１０がプリンタ２００との接続を確認している間は、図８のような内容が液晶モニタ３０に表示される。
【００２３】
なお、以下の処理は、液晶モニタ３０、ＢＡＣＫボタン４０、十字ボタン３４、ＯＫボタン３６、表示制御部１２７をプリンタ２００に設け、プリンタ２００で実行させることも可能である。
【００２４】
Ｓ１では、表示制御部１２７は、メモリ１３２に記憶された複数画像の内、最後に記憶された画像を操作メニューとともに液晶モニタ３０に表示する。図９は画像を操作メニューとともに表示した状態を示す。操作メニューとはプリント枚数やプリント実行開始のための操作などをユーザに教示するメニュー（プリントメニュー）である。この図に示すように、液晶モニタ３０には、画像とＯＳＤ回路から生成されたメニューが重ねて表示される。このような表示を行うと画像がメニューに遮られて細部の確認が困難であるため、本発明のデジタルカメラではメニューによる操作確認の妨げとならない適切なタイミングでメニュー表示を消去する。
【００２５】
Ｓ２では、制御部１１０は十字ボタン３４の左右ボタンのいずれか一方が押下されたか否かを判断する。左右ボタンのいずれか一方が押下された場合はＳ３に移行し、Ｓ３では表示制御部１２７はメニューの表示を液晶モニタ３０から消去する。続いてＳ４では、表示制御部１２７は押下された十字ボタン３４の左／右にしたがって現在表示されている画像よりも前／後に記録された画像を液晶モニタ３０に表示する。即ち、十字ボタン３４の左右ボタンを押下することで画像を選択させることができる。なお、Ｓ２で左右ボタンのいずれも押下されなかったと判断された場合はＳ１０に移行する。
【００２６】
図１０は、左右ボタンの押下に従って表示された画像を示す。この図に示すように、メニューは消去されて液晶モニタ３０には画像のみが表示される。
【００２７】
Ｓ５では、制御部１１０は左右ボタンの押下に従ってメニューを消去し前／後に記録された画像を表示した時点から所定時間Ｔ（例えば１５秒）が経過したか否かを判断する。所定時間Ｔが経過した場合はＳ１に戻り、表示制御部１２７は現在液晶モニタ３０に表示されている画像とともに再びメニューを表示する。図１１は、左右ボタンの押下後所定時間Ｔが経過して画像とともにメニューが再表示された状態を示す。所定時間Ｔは、左右ボタンの押下で選択された画像の詳細を確認するのに必要十分な時間を設定することが好ましい。このように、画像の選択から所定時間が経過した後再びメニューを表示することで、ユーザがメニューを再び確認して他の操作を行いたいと思う適切なタイミングでメニューを表示させることができる。
【００２８】
Ｓ１０〜１４は、Ｓ１〜Ｓ６で選択された画像をプリンタ２００でプリントさせるための各種指示を受け付ける処理である。即ち、Ｓ１０では、十字ボタン３４の上下ボタンの押下に従ってプリント枚数の指定を受け付け、Ｓ１１では上下ボタンの押下に従ってプリント枚数を増減して液晶モニタ３０に表示してＳ２に戻る。Ｓ１２では、ＯＫボタン３６が押下されたか否かを判断する。ＯＫボタン３６が押下された場合はＳ１３に移行し、選択された画像を指定された枚数だけプリントするようプリンタ２００に指示し、Ｓ２に戻る。なお、プリンタ２００はデジタルカメラ１０からの指示に従い、選択された画像を指定された枚数だけプリントする。一方、ＯＫボタン３６が押下されない場合はＳ１４に移行し、Ｓ１４では、ＢＡＣＫボタン４０が押下されたか否かを判断する。ＢＡＣＫボタン４０が押下されなかった場合はＳ２に戻り、ＢＡＣＫボタン４０が押下された場合はプリント処理を終了する。
【００２９】
以上説明した通り、十字ボタン３４の押下で画像選択が開始すると（Ｓ２で“Ｙ”）、メニュー表示が消去された上（Ｓ３）、選択された画像が液晶モニタ３０に表示される（Ｓ４）。即ち、所望の画像の選択時にメニュー表示が妨げとなってプリントに最適な画像の確認・選択に支障をきたすといった不都合を回避できる。そして、画像の選択完了から所定時間Ｔが経過すると（Ｓ５で“Ｙ”）、再びメニューが表示される。即ち、画像の選択終了後はユーザがメニューを再確認できる。
【００３０】
なお、上述の処理ステップＳ１〜Ｓ６は、図１２に示す処理ステップＳ１０１〜Ｓ１０６と置換することができる。Ｓ１０１〜１０４はそれぞれＳ１〜４と同様である。Ｓ１０５では、制御部１１０は十字ボタン３４の左右ボタンのいずれか一方が押下されたか否かを判断する。左右ボタンのいずれか一方が押下された場合はＳ１０４に戻り、左右ボタンのいずれも押下されない場合はＳ１０６に移行する。Ｓ１０６では、操作部１１２に所定操作が行われたか否か（例えば、十字ボタン３４の左右ボタン以外のボタン即ち十字ボタン３４の上下ボタン、ＯＫボタン３６、ＢＡＣＫボタン４０などが押下されたか否か）を判断する。所定操作が行われた場合はＳ１０１に戻ってメニューを再表示する。所定操作が行われない場合はＳ１０５に戻る。この処理ステップＳ１０１〜Ｓ１０６では、左右ボタンを押下するとメニューを消去して画像選択の妨げとならないようにすることができる一方、所定操作を行うことでメニューを再表示させることができる。
【図面の簡単な説明】
【００３１】
【図１】本発明の好ましい実施形態に係るプリントシステムの概略構成図
【図２】デジタルカメラを背面から見た概略構成図
【図３】デジタルカメラを上面から見た概略構成図
【図４】デジタルカメラのブロック構成図
【図５】プリンタのブロック構成図
【図６】プリント処理の流れを示すフローチャート
【図７】トップメニューの一例を示す図
【図８】接続確認中の表示の一例を示す図
【図９】最後の画像とともに表示された操作メニューの一例を示す図
【図１０】メニューが消去された状態の画像表示の一例を示す図
【図１１】画像とともに再表示された操作メニューの一例を示す図
【図１２】プリント処理の他の実施形態を示すフローチャート
【符号の説明】
【００３２】
１０：デジタルカメラ、２００：プリンタ
【図１】
2006033486.tif 000003
【図２】
2006033486.tif 000004
【図３】
2006033486.tif 000005
【図４】
2006033486.tif 000006
【図５】
2006033486.tif 000007
【図６】
2006033486.tif 000008
【図７】
2006033486.tif 000009
【図８】
2006033486.tif 000010
【図９】
2006033486.tif 000011
【図１０】
2006033486.tif 000012
【図１１】
2006033486.tif 000013
【図１２】
2006033486.tif 000014